(57)【要約】【課題】  簡単な構成により、係合爪の弾性を確保するようにした、フォトインタラプタ用プリズム装置を提供する。【解決手段】  被検出物が搬送される搬送路に対して、発光部及び受光部から成る検出装置２０と反対側に配置され、検出装置の発光部からの光を反射させて受光部に照射するフォトインタラプタ用プリズム装置であって、検出装置の発光部からの光を反射させて受光部に照射するための第一傾斜面１１ａと第二傾斜面１１ｂとを有するプリズム本体１１と、プリズム本体に対して一体的に形成されていて、プリズム本体の搬送路側の長手方向の両側縁のみから反対側に向かって互いにほぼ平行に延びており、外側に向かって突出する取付用の係合爪１４，１５を備える一対の撓曲部材１２，１３と、を含んでいる。【選択図】        図２
2005055264.tif 000002
【特許請求の範囲】
【請求項１】
被検出物が搬送される搬送路に対して、発光部及び受光部から成る検出装置と反対側に配置され、上記検出装置の発光部からの光を反射させて上記受光部に照射するフォトインタラプタ用プリズム装置であって、
上記検出装置の発光部からの光を反射させて受光部に照射するための第一傾斜面と第二傾斜面とを有するプリズム本体と、
該プリズム本体に対して一体的に形成されていて、上記プリズム本体の搬送路側の長手方向の両側縁から反対側に向かって互いにほぼ平行に延びており、外側に向かって突出する取付用の係合爪を備える一対の撓曲部材と、
を含んでいることを特徴とする、フォトインタラプタ用プリズム装置。
【請求項２】
前記各係合爪の周囲に、対応する撓曲部材に対して弾性を備えるように開口部を備えていることを特徴とする、請求項１に記載のフォトインタラプタ用プリズム装置。
【請求項３】
前記各撓曲部材を、前記プリズム本体から両側方に関して離反して配設していることを特徴とする、請求項１又は２に記載のフォトインタラプタ用プリズム装置。
【請求項４】
前記プリズム本体の入射部及び出射部の光軸上に、前記プリズム本体の表面から突出した短い円柱状の凸レンズ部を備えていることを特徴とする、請求項１から３の何れかに記載のフォトインタラプタ用プリズム装置。
【発明の詳細な説明】
【技術分野】
【０００１】
本発明は、被検出物が搬送される搬送路に対して、発光部及び受光部から成る検出装置と反対側に配置され、検出装置の発光部からの光を反射させて受光部に照射するフォトインタラプタ用プリズム装置に関するものである。
【背景技術】
【０００２】
従来、搬送路を搬送される紙幣等の媒体をカウントするために、搬送路を挟んで互いに対向するように配置された、発光部及び受光部を備える一体型フォトインタラプタ用の媒体検出装置と、発光部からの光を例えば二回反射により受光部に照射するプリズム装置と、から構成されている一体型のフォトインタラプタが使用されている。
【０００３】
このようなフォトインタラプタにおけるプリズム装置は、例えば特許文献１に示すように、プリズム本体の第一の反射面及び第二の反射面を全周に亘って包囲するカバーが、プリズムと一体に形成されていると共に、搬送路を形成する搬送ガイドに設けられた挿入孔内に嵌合する入射光及び反射光を透過させる突起を備えるように、構成されている。
【０００４】
ところで、最近になって、プリズム本体及びカバーの搬送路側の部分が樹脂製の構造になってきていることから、プリズム装置の固定のために、カバーに位置決め固定用の金属部品をネジ止めすることはコストの問題から不利になってしまう。このため、上記カバーの側面に、少なくとも一対の弾性の係合爪を設けて、搬送路側に設けられた係合孔に係合させることにより、プリズム装置を搬送路に対して位置決めし固定保持するようにしている。
【０００５】
【特許文献１】特許第３２１２４８５号公報
【発明の開示】
【発明が解決しようとする課題】
【０００６】
しかしながら、特許文献１によるプリズム装置においては、プリズム本体の保護のためのカバーがプリズム本体の全周に亘って設けられていることから、材料及び構造の観点から、係合爪の弾性を十分に確保することが困難である。このため、プリズム装置の係合爪と搬送路側の係合孔の間に、ある程度の間隙を備えるようにして、プリズム装置の係合爪と搬送路側の係合孔との係合を容易にするようにしている。
従って、係合後は、係合爪と係合孔との間にガタツキが発生することになり、プリズム装置の各反射面そして入射面及び出射面の光軸が位置ずれを生ずることになるため、プリズム本体のプリズムとしての光学的性能が損なわれてしまう結果になる。
【０００７】
本発明は、以上の点に鑑み、簡単な構成により係合爪の弾性を確保するようにした、フォトインタラプタ用プリズム装置を提供することを目的としている。
【課題を解決するための手段】
【０００８】
上記課題を解決するために、本発明のフォトインタラプタ用プリズム装置は、被検出物が搬送される搬送路に対して、発光部及び受光部から成る検出装置と反対側に配置され、上記検出装置の発光部からの光を反射させて上記受光部に照射するものであって、上記検出装置の発光部からの光を反射させて受光部に照射するための第一傾斜面と第二傾斜面とを有するプリズム本体と、このプリズム本体に対して一体的に形成されていて、上記プリズム本体の搬送路側の長手方向の両側縁のみから反対側に向かって互いにほぼ平行に延びており、外側に向かって突出する取付用の係合爪を備える一対の撓曲部材と、を含んでいる。
【０００９】
本発明のフォトインタラプタ用プリズム装置は、好ましくは、上記各係合爪の周囲に、対応する撓曲部材に対して弾性を備えるように開口部を備えている。
【００１０】
また、本発明によるフォトインタラプタ用プリズム装置は、好ましくは、各撓曲部材を、プリズム本体から両側方に関して離反して配設している。
【００１１】
さらに、本発明によるフォトインタラプタ用プリズム装置は、好ましくは、上記プリズム本体の入射部及び出射部の光軸上に、プリズム本体の表面から突出した短い円筒状の凸レンズ部を備えている。
【発明の効果】
【００１２】
上記構成によれば、プリズム本体が両側縁から搬送路と反対側に向かって延びる一対の撓曲部材により覆われることにより、プリズム本体が実質的に保護され得ると共に、各撓曲部材がそれぞれ独立的にプリズム本体の両側縁から立ち上がっているので、その表面に垂直な方向、即ち係合爪の係合方向に対してより容易に、そして十分に弾性変形することができる。
従って、プリズム装置の搬送路側への固定の際に、各撓曲部材に備えられた係合爪が十分な弾性変形により退避し得ることにより、容易に搬送路側の係合孔に対して容易に係合することができる。
【００１３】
さらに、各撓曲部材の十分な弾性変形により、係合爪と搬送路側の係合孔との間隙を確保しなくてもよいことから、係合後にプリズム装置の係合爪と搬送路側の係合孔がガタツキなく係合することになるので、プリズム装置が搬送路に対して確実に固定保持される。従って、プリズム装置の各反射面（第一傾斜面，第二傾斜面）そして入射面及び出射面の光軸が搬送路に対してずれることがないので、プリズム装置の光学的性能が損なわれるようなことはない。
【００１４】
各撓曲部材が、プリズム本体から両側方に関して離反している場合には、各撓曲部材がより一層容易に弾性変形し得ると共に、弾性変形の際に各撓曲部材がプリズム本体に接触することがないので、プリズム本体がより一層確実に保護される。
【発明を実施するための最良の形態】
【００１５】
以下に図面に示した実施形態に基づいて、この発明を詳細に説明する。
図１乃至図４は、本発明によるフォトインタラプタ用プリズム装置の一実施形態を示している。図１において、プリズム装置１０は、一体型フォトインタラプタと組み合わせて使用されるフォトインタラプタ用プリズム装置であって、プリズム本体１１と、撓曲部材１２，１３と、係合爪１４，１５とを含んでいる。
なお、プリズム本体，撓曲部材１２，１３及び係合爪１４，１５は、弾性を備えた樹脂により同一体（一体）として成形されている。
【００１６】
プリズム本体１１は、基端から先端にいくにしたがって幅が小さくなるように形成され、図２に示すように、側面視において台形を呈しており、先端側の表面において第一の反射面（第一傾斜面）１１ａと第二の反射面（第二傾斜面）１１ｂとを備えている。
この第一の反射面１１ａは、フォトインタラプタ２０（図２に点線図示）の発光部（図示せず）からの入射光軸２１に整列して、この光軸２１に対して斜め４５度に配置される。また、第二の反射面１１ｂは、光学装置２０の受光部（図示せず）への反射光軸２２に整列して、この光軸２２に対して逆方向に斜め４５度に配置される。
これにより、光学装置２０の発光部から出射した光が、プリズム本体１１の第一の反射面１１ａに入射して、第二の反射面１１ｂに向かって反射され、さらに第二の反射面１１ｂに入射して、光学装置２０の受光部に向かって反射されるようになっている。
【００１７】
さらに、プリズム本体１１は、基端側に、搬送路を形成する搬送ガイドに当接する方形状の当接部１１ｅを一体的に形成していると共に、一体型フォトインタラプタ２０の発光部，受光部に対する光路上において光学装置２０側に突出するように、短い円柱状の凸レンズ部１１ｃ，１１ｄを基端面、即ち、当接部１１ｅの表面から突出している。これらの凸レンズ部１１ｃ，１１ｄの表面は、それぞれ実質的に平坦に、そして成形時の収縮により凹状にならないように、僅かに凸状になるように形成され、即ち比較的大きな曲率半径を備えている。
【００１８】
撓曲部材１２，１３は、プリズム本体１１の長手方向に沿った各側面に対して撓曲可能に形成されているものであり、プリズム本体１１の長さ方向の幅と一致した大きさに形成されており、プリズム本体１１から両側方に十分に離反して、上記プリズム本体１１の搬送路側の長手方向の両側縁から反対側に向かって互いにほぼ平行に延びて配置されている。即ち、撓曲部材１２，１３は、プリズム本体１１の当接部１１ｅの周縁から凸レンズ１１ｃ，１１ｄの突出方向と逆側に立ち上がるように形成されている。これにより、撓曲部材１２，１３は、プリズム本体１１に対して、外側に向かって十分に弾性変形し得るようになっている。これらの撓曲部材１２，１３は、プリズム本体１１と一体に成形されている。なお、このように第一の反射面１１ａと第二の反射面１１ｂとの近傍に撓曲部材１２，１３が近接配置されるが、第一の反射面１１ａ及び第二の反射面１１ｂと向かい合う方向は遮られておらず、開放している。
【００１９】
さらに、撓曲部材１２，１３は、外方向に突出する係合爪１４，１５を長手方向に関して少なくとも一個（図示の場合、二個）備えている。これらの係合爪１４，１５は、撓曲部材１２，１３に形成された開口部１４ａ，１５ａに撓曲可能に立設しており、撓曲部材１２，１３と同一体（一体）として形成されている。これにより、各係合爪１４，１５は、撓曲部材１２，１３とは独立して弾性変形し得るようになっている。
【００２０】
本発明実施形態によるフォトインタラプタ用プリズム装置は以上のように構成されており、搬送路への装着の場合には、プリズム本体１１の凸レンズ部１１ｃ，１１ｄが搬送路を画成する搬送ガイド（図示せず）に設けられた貫通孔内に嵌入されると共に、各係合爪１４，１５が、それぞれ対応する搬送ガイドに設けられた係合孔に対して係合される。
【００２１】
その際、各係合爪１４，１５は、対応する係合孔に係合する前に撓むことにより搬送ガイドの表面から退避され、搬送ガイドの表面に沿ってガイドされた後、係合孔内に係合する。このとき、各撓曲部材１２，１３がプリズム本体１１に対して係合方向に撓むことにより、十分に弾性変形し得るようになっている。
【００２２】
従って、各係合爪１４，１５は、搬送ガイドの係合孔に対して間隙を備えていなくても、その十分な弾性変形によって確実に退避し、その後対応する係合孔内に係合し得ることになる。これにより、各係合爪１４，１５は、係合後には係合孔内にてガタツキなしに確実に係合し得るので、プリズム装置１０全体が搬送ガイドに対して正確に位置決めされて固定保持されることになり、プリズム装置１０の光学的性能が保証される。
【００２３】
上述した実施形態においては、プリズム装置は、プリズム本体の入射面及び出射面に凸レンズ部を備えているが、これに限らず、凸レンズ部を備えていなくてもよいことは明らかである。
また、上述した実施形態においては、各撓曲部材にそれぞれ二個の係合爪が設けられているが、これに限らず、各撓曲部材にそれぞれ一個または三個以上の係合爪が備えられていてもよいことは明らかである。
【図面の簡単な説明】
【００２４】
【図１】本発明によるフォトインタラプタ用プリズム装置の一実施形態の構成を示す平明図である。
【図２】図１のプリズム装置を示す側面図である。
【図３】図１のプリズム装置を示す正面図である。
【図４】図１のＡ−Ａ線断面図である。
【符号の説明】
【００２５】
１０    フォトインタラプタ用プリズム装置
１１    プリズム本体
１１ａ  第一の反射面
１１ｂ  第二の反射面
１１ｃ，１１ｄ    凸レンズ部
１２，１３    撓曲部材
１４，１５    係合爪
１４ａ，１５ａ    開口部
２０    一体型フォトインタラプタ
２１    入射光軸
２２    反射光軸
【図１】
2005055264.tif 000003
【図２】
2005055264.tif 000004
【図３】
2005055264.tif 000005
【図４】
2005055264.tif 000006